(57)【要約】【課題】整備性を損なうことなく、遮音性を確保することができるとともに、空調ダクトの断熱性を確保することができる作業車両用運転室を提供する。【解決手段】フロアベース１０ａに整備用開口２０を有するフロアフレーム１０と、整備用開口２０を塞ぐ蓋体２３とを備える運転室８において、蓋体２３は、整備用開口２０に対して着脱可能で上下に間隔を存して配される上側点検カバー２２および下側点検カバー２１を備えてなり、上側点検カバー２２と下側点検カバー２１との間の空間に、エアコン２７からの送風空気を流通させるフロアダクト３０を分解可能に配置する。【選択図】図５
2010280280.tif 000002
【特許請求の範囲】
【請求項１】
中空のボックス構造からなる床部を備える作業車両用運転室において、
前記床部は整備用開口を有し、
前記整備用開口に対して着脱可能で上下に間隔を存して配され前記整備用開口を塞ぐ上側点検カバーおよび下側点検カバーを備え、
前記上側点検カバーと前記下側点検カバーとの間の空間に、空気調和装置からの送風空気を流通させる空調ダクトを分解可能に配置することを特徴とする作業車両用運転室。
【請求項２】
前記空調ダクトはその空調ダクト内を流れる送風空気の流れ経路途中で分割可能とされ、この空調ダクトの分割位置と同じ分割位置にて前記上側点検カバーおよび下側点検カバーが分割可能とされる請求項１に記載の作業車両用運転室。
【請求項３】
前記空調ダクトは前記床部の前後方向に配されて前側のダクトと後側のダクトに分割可能とされ、前記床部上に設置されるオペレータシートの前方に前記分割位置が配される請求項２に記載の作業車両用運転室。
【請求項４】
前記空調ダクトは前記整備用開口の左右方向中央部に配される請求項１に記載の作業車両用運転室。
【発明の詳細な説明】
【技術分野】
【０００１】
本発明は、例えばブルドーザ等の作業車両に装備されて好適な作業車両用運転室に関するものである。
【背景技術】
【０００２】
従来、例えばブルドーザにおいては、足回り装置を具備したメインフレームに、エンジンやトランスミッション等からなるパワートレインが搭載されるとともに、このパワートレインの上方に作業車両用運転室（以下、単に「運転室」という。）が設置されている。
【０００３】
運転室は、その基底部の骨組を構成するフロアフレームと、このフロアフレーム上に組み付けられて運転室の本体部分の骨組を構成するキャブフレームとを備えている。
【０００４】
運転室の床部（フロアフレーム）には、下方のパワートレインを整備する際に使用される整備用開口が貫通して形成されている。通常時、この整備用開口はフロアフレームに装着される蓋体によって塞がれており、パワートレインの整備時にその蓋体がフロアフレームから取り外され、出現した整備用開口を通してパワートレインにアクセスすることができるようになっている。
【０００５】
なお、フロアフレームの床部と、この床部に形成された整備用開口を塞ぐ蓋体とを共に中空のボックス構造とすることにより、フロアフレームの下方に位置するパワートレインからの騒音を抑えるようにしたものが例えば特許文献１にて知られている。
【先行技術文献】
【特許文献】
【０００６】
【特許文献１】特開２００４−３０６９１１号公報
【０００７】
整備用開口を塞ぐ蓋体の後半部には、運転者が着座するオペシートが設置されている。このオペシートの後方位置におけるフロアフレーム上には、空気調和装置（以下、「エアコン」という。）が設置されている。
【０００８】
運転室の室内前部にはフェイス吹出口やデフロスト吹出口等が配置され、運転室の室内後部にはリア吹出口等が配置されている。
ここで、フェイス吹出口は、エアコンからの送風空気を、オペシートに着座した運転者の顔や胸に向けて吹き出す吹出口である。デフロスト吹出口は、エアコンからの送風空気を、キャブフレームの前窓ガラスおよびドアガラスに向けて吹き出す吹出口である。リア吹出口は、エアコンからの送風空気を、オペレータシートに着座した運転者の後頭部および後窓ガラスや上背部に向けて吹き出す吹出口である。
【０００９】
ところで、エアコンが運転室の室内後部に設けられているのに対し、フェイス吹出口およびデフロスト吹出口が運転室の室内前部に設けられているという配置の関係上、エアコンからの送風空気を運転室の室内前部に導く空調ダクトを設ける必要がある。この空調ダクトは、室内スペースをより広く確保する観点からフロアフレームの床部（キャブフレームの底面部）の下方に配設されており、特段の断熱対策が施されることなく露出されている。
このため、空調ダクトを流れる送風空気がパワートレインからの熱によって温められ、冷房能力の損失が大きくなるという問題点がある。
また、リア吹出口からは設定温度の送風空気が運転者の後頭部や上背部に向けて吹き出されるのに対し、フェイス吹出口からは設定温度よりも高い温度の送風空気が運転者の顔や胸に向けて吹き出される。このように、温度差のある送風空気が運転者に向けて吹き付けられるので、運転者に不快感を与えてしまうという問題点がある。
【発明の概要】
【発明が解決しようとする課題】
【００１０】
本発明は、前述のような問題点に鑑みてなされたもので、整備性を損なうことなく、遮音性を確保することができるとともに、空調ダクトの断熱性を確保することができる作業車両用運転室を提供することを目的とするものである。
【課題を解決するための手段】
【００１１】
前記目的を達成するために、本発明による作業車両用運転室は、
中空のボックス構造からなる床部を備える作業車両用運転室において、
前記床部は整備用開口を有し、
前記整備用開口に対して着脱可能で上下に間隔を存して配され前記整備用開口を塞ぐ上側点検カバーおよび下側点検カバーを備え、
前記上側点検カバーと前記下側点検カバーとの間の空間に、空気調和装置からの送風空気を流通させる空調ダクトを分解可能に配置することを特徴とするものである（第１発明）。
【００１２】
本発明において、前記空調ダクトはその空調ダクト内を流れる送風空気の流れ経路途中で分割可能とされ、この空調ダクトの分割位置と同じ分割位置にて前記上側点検カバーおよび下側点検カバーが分割可能とされるのが好ましい（第２発明）。
また、本発明は、前記第２発明において、前記空調ダクトは前記床部の前後方向に配されて前側のダクトと後側のダクトに分割可能とされ、前記床部上に設置されるオペレータシートの前方に前記分割位置が配されることが好ましい（第３発明）。
また、本発明は、前記第１発明において、前記空調ダクトは前記整備用開口の左右方向中央部に配されることが好ましい（第４発明）。
【発明の効果】
【００１３】
本発明においては、フロアフレームの床部に形成される整備用開口を塞ぐ蓋体を上下に間隔を存して配される上側点検カバーおよび下側点検カバーで構成することにより、上側点検カバーと下側点検カバーとの間に空気層が形成される。その結果、フロアフレームの下方からの騒音を抑えることができる。
また、上側点検カバーと下側点検カバーとによって形成される二重床の内部に空調ダクトを配置することにより、フロアフレームの下方からの熱を下側点検カバーによって遮ることができるとともに、上側点検カバーと下側点検カバーとの間の空気層を断熱層として機能させることができる。したがって、空調ダクトを流れる送風空気がフロアフレームの下方からの熱によって温められるのを防ぐことができ、冷房能力の損失を抑えることができる。
本発明によれば、遮音性を確保することができるとともに、空調ダクトの断熱性を確保することができるという効果がある。
なお、空調ダクトは上側点検カバーと下側点検カバーとの間の空間に分解可能に配置されている。例えばフロアフレームの下方に配されているパワートレインの整備時には、まず上側点検カバーをフロアフレームから取り外し、次いで空調ダクトを分解し、その後下側点検カバーをフロアフレームから取り外すことにより、整備用開口を出現させることができる。そして、出現させた整備用開口を通してパワートレインにアクセスすることができるので、整備性を損なうようなことはない。
また、空調ダクトは前側のダクトと後側ダクトに分割可能で個別に分解でき、しかも、その分割位置がオペレータシートの前方にあるため、前側の開口だけで整備できる場合、オペレータシートを取り外さずに整備することができる。
また、空調ダクトは整備用開口の左右方向中央部に配すことができるので、整備用開口から見えない得ないように配置する場合と比較し、空気調和に必要なダクトの断面積を容易に確保することができる。
なお、ここで、空調ダクトの分解とは、整備に必要な開口内にあるダクト部分を開口部にないダクト部分から切り離すことを意味し、空調ダクトの分割とは、整備用開口に配されている空調ダクトを、例えば、前側と後側の２つのダクトに分けることを意味する。
【図面の簡単な説明】
【００１４】
【図１】本発明の一実施形態に係る作業車両用運転室を搭載したブルドーザの全体側面図
【図２】パワートレインと運転室の位置関係説明図
【図３】本実施形態の作業車両用運転室の外観斜視図
【図４】本実施形態の作業車両用運転室の要部分解斜視図
【図５】本実施形態の作業車両用運転室の要部縦断面図
【図６】図５のＡ−Ａ線断面図
【発明を実施するための形態】
【００１５】
次に、本発明による作業車両用運転室の具体的な実施の形態について、図面を参照しつつ説明する。なお、以下に述べる実施の形態は、作業車両としてブルドーザに本発明が適用された例であるが、勿論これに限定されるものではない。また、以下において、特に断りのない限り、前後左右方向は、運転者が運転席に着座した際における前後左右方向に一致させている。
【００１６】
図１に示されるブルドーザ１は、車両本体であるトラクタ２に、前方作業機（ブレード装置）３と後方作業機（リッパ装置）４とが装着されて構成されている。
【００１７】
トラクタ２の足回り装置５を具備したメインフレーム６には、パワートレイン７（図２参照）が搭載されるとともに、このパワートレイン７の上方に作業車両用運転室８（以下、単に「運転室８」という。）が設置されている。
なお、パワートレイン７は、主として、図２に示されるように、前側（図の左側）から後側（図の右側）に向けて順に配置されるエンジン７ａ、ダンパ７ｂ、ユニバーサルジョイント７ｃ、トルクコンバータ７ｄ、トランスミッション７ｅおよび終減速装置７ｆによって構成されている。
【００１８】
図３に示されるように、運転室８は、その基底部の骨組を構成するフロアフレーム１０と、このフロアフレーム１０上に組み付けられて運転室８の本体部分の骨組を構成するキャブフレーム１１とを備えている。
ここで、キャブフレーム１１は、前窓枠１１ａ、ドア枠１１ｂ、側面窓枠１１ｃおよび後窓枠（図示省略）をそれぞれ有し、前窓枠１１ａには前窓ガラス１２が組み付けられ、ドア枠１１ｂにはドア１３が組み付けられ、側面窓枠１１ｃには側面窓ガラス１４が組み付けられ、後窓枠には後窓ガラス（図示省略）が組み付けられている。
【００１９】
フロアフレーム１０は、運転室８の基底部として作業車両のメインフレーム上側に装設される。そして、図４に示されるように、フロアフレーム１０は、主として、床部を構成する平坦なフロアベース１０ａと、フロアベース１０ａの前部に立設される前部フレーム１０ｂと、フロアベース１０ａの後部に立設される後部フレーム１０ｃとにより構成されている。
【００２０】
フロアベース１０ａは、下方に位置しているパワートレイン７（図２参照）に臨ませて配されるロアプレート１５と、このロアプレート１５の上方に所定間隔を存して対向配置されるアッパプレート１６とがウェブプレート１７によって結合されて構成されている。こうして、ロアプレート１５とアッパプレート１６とによって二重床が形成され、フロアベース１０ａは内部に空気層を有する中空のボックス構造を呈するものとされている。
なお、ウェブプレート１７は、フロアベース１０ａの前部に配される前部ウェブプレート１７ａ（図５参照）と、フロアベース１０ａの後部に配される後部ウェブプレート１７ｂと、これら前部ウェブプレート１７ａおよび後部ウェブプレート１７ｂを繋ぐようにフロアベース１０ａの側部に配される側部ウェブプレート１７ｃ（図４参照）とより構成されている。
【００２１】
ロアプレート１５には、下方のパワートレイン７（図２参照）の整備時に使用される下側整備用開口１８が貫通して形成されている。
アッパプレート１６には、ロアプレート１５に形成されている下側整備用開口１８と相似形状で一回り大きな上側整備用開口１９が貫通して形成されている。
下側整備用開口１８と上側整備用開口１９とは、平面視で下側整備用開口１８が上側整備用開口１９に内包される位置関係とされている。
これら下側整備用開口１８および上側整備用開口１９により、パワートレイン７を整備する際に使用される整備用開口２０が形成されている。
【００２２】
通常時、下側整備用開口１８は下側点検カバー２１によって塞がれるとともに、上側整備用開口１９は上側点検カバー２２によって塞がれている。
これら下側点検カバー２１および上側点検カバー２２によって蓋体２３が構成され、この蓋体２３は、整備用開口２０を塞ぐ二重床を形成し、内部に空気層を有する中空のボックス構造を呈するものとされている。下側点検カバー２１と上側点検カバー２２とは別々に整備用開口２０から取り外すことができる。
【００２３】
下側点検カバー２１は、下側前部点検カバー２１ａと、下側中間部点検カバー２１ｂと、下側後部点検カバー２１ｃとにより構成されている。下側前部点検カバー２１ａと下側後部点検カバー２１ｃとは前後に若干の隙間を持って配置され、その隙間を塞ぐように下側中間部点検カバー２１ｂが配置されている。これら下側前部点検カバー２１ａ、下側中間部点検カバー２１ｂおよび下側後部点検カバー２１ｃは、いずれも下側整備用開口１８の縁部に締結具２４により着脱可能に固定されている。
この下側点検カバー２１においては、下側前部点検カバー２１ａと下側後部点検カバー２１ｃとに大きく前後に二分割することができ、これら下側前部点検カバー２１ａと下側後部点検カバー２１ｃとの分割位置の隙間を下側中間部点検カバー２１ｂが塞ぐという構成が採用されている。
【００２４】
上側点検カバー２２は、上側前部点検カバー２２ａと、上側中間部点検カバー２２ｂと、上側後部点検カバー２２ｃとにより構成されている。上側前部点検カバー２２ａと上側後部点検カバー２２ｃとは前後に若干の隙間を持って配置され、その隙間を塞ぐように上側中間部点検カバー２２ｂが配置されている。これら上側前部点検カバー２２ａ、上側中間部点検カバー２２ｂおよび上側後部点検カバー２２ｃは、いずれも上側整備用開口１９の縁部に締結具２５により着脱可能に固定されている。
上側点検カバー２２においても、下側点検カバー２１と同様に、上側前部点検カバー２２ａと上側後部点検カバー２２ｃとに大きく前後に二分割することができ、これら上側前部点検カバー２２ａと上側後部点検カバー２２ｃとの分割位置の隙間を上側中間部点検カバー２２ｂが塞ぐという構成が採用されている。
【００２５】
なお、下側点検カバー２１の前後の分割位置と上側点検カバー２２の前後の分割位置とは一致されており、下側中間部点検カバー２１ｂと上側中間部点検カバー２２ｂとは、平面視において重なり合うように配置されている。
【００２６】
図５に示されるように、上側後部点検カバー２２ｃ上には、運転者が着座するオペレータシート（以下、「オペシート」という。）２６が設置されている。このオペシート２６の後方位置におけるフロアベース１０ａ上には、空気調和装置２７（以下、「エアコン２７」という。）が設置されている。このエアコン２７には、設定温度に調節された温調空気を送り出す吹出口として、上方に開口された上部吹出口２７ａと、下方に開口された下部吹出口２７ｂとが設けられている。
【００２７】
フロアフレーム１０における前部フレーム１０ｂは箱型構造とされている。この前部フレーム１０ｂには、フロアベース１０ａに対して立ち上がり状に設けられる柱状ダクト２８が格納されている。この柱状ダクト２８の上端部には、中継ボックス２９が接続されている。
【００２８】
エアコン２７の下部吹出口２７ｂと柱状ダクト２８とは、フロアダクト３０（本発明の「空調ダクト」に相当する。）によって接続されている。これにより、エアコン２７の下部吹出口２７ｂからの送風空気がフロアダクト３０および柱状ダクト２８を介して中継ボックス２９に送り込まれる。
【００２９】
中継ボックス２９の上方近傍には、デフロスト吹出口３１が前窓ガラス１２（図３参照）に向けて配置されている。デフロスト吹出口３１と中継ボックス２９とは、デフロスト吹出口用ダクト３２によって接続されており、中継ボックス２９に送り込まれたエアコン２７からの送風空気がデフロスト吹出口３１から前窓ガラス１２に向けて吹き出されるようになっている。
【００３０】
中継ボックス２９の上方でキャブフレーム１１（図３参照）の天井近傍には、フェイス吹出口３３がオペシート２６に着座した運転者の顔や胸に向けて配置されている。フェイス吹出口３３と中継ボックス２９とは、フェイス吹出口用ダクト３４によって接続されており、中継ボックス２９に送り込まれたエアコン２７からの送風空気がフェイス吹出口３３からオペシート２６に着座した運転者の顔や胸に向けて吹き出されるようになっている。
【００３１】
エアコン２７の上方には、リア吹出口３５がオペシート２６に着座した運転者の後頭部や上背部に向けて配置されている。リア吹出口３５とエアコン２７の上部吹出口２７ａとは、リア吹出口用ダクト３６によって接続されており、エアコン２７からの送風空気がリア吹出口３５からオペシート２６に着座した運転者の後頭部や上背部に向けて吹き出されるようになっている。
【００３２】
次に、フロアダクト３０のより詳細な構造について以下に説明することとする。
【００３３】
フロアダクト３０は、運転室８の室内後部に配設されているエアコン２７からの送風空気をキャブ８の室内前部に導くために前後方向に細長く延設された断面四角形状の空調ダクトである。このフロアダクト３０は、主として、前部フロアダクト４１と、中間部フロアダクト４２と、後部フロアダクト４３とにより構成され、フロアフレーム１０の箱型構造内部の左右方向中央で、前後方向に延設されている。
【００３４】
前部フロアダクト４１は、柱状ダクト２８の下端部と接続される前側ダクト接続口４１ａを有するとともに、後方に向けて開口された後側ダクト接続口４１ｂを有している。この前部フロアダクト４１は、フロアベース１０ａの前部において、アッパプレート１６とロアプレート１５との間の空間に配置され、ロアプレート１５上に支持金具４３を介して締結具４４により着脱可能に固定されている。後側ダクト接続口４１ｂは、シール部材５４を介して前部ウェブプレート１７ａに突き当てられている。前部ウェブプレート１７ａは、後側ダクト接続口４１ｂの開口に対応する開口を有している。
【００３５】
中間部フロアダクト４２は、第１中間部フロアダクト５１と第２中間部フロアダクト５２とにより構成され、整備用開口２０の左右方向中央部を前後方向に配されている。
【００３６】
第１中間部フロアダクト５１は、前部フロアダクト４１に接続する前側ダクト接続口５１ａを有する。この前側ダクト接続口５１ａは、前部フロアダクト４１における後側ダクト接続口４１ｂに整合する位置で前部ウェブプレート１７ａにシール部材５４´を介して突き合わされる。更に、第１中間部フロアダクト５１は、後方に向けて開口された後側ダクト接続口５１ｂを有している。
この第１中間部フロアダクト５１は、上側前部点検カバー２２ａと下側前部点検カバー２１ａとの間の空間に配置され、下側前部点検カバー２１ａ上に支持金具４５を介して締結具４６により着脱可能に固定されている。
【００３７】
第２中間部フロアダクト５２は、第１中間部フロアダクト５１における後側ダクト接続口５１ｂに突き合わされる前側ダクト接続口５２ａを有するとともに、後方に向けて開口された後側ダクト接続口５２ｂを有している。この第２中間部フロアダクト５２は、上側後部点検カバー２２ｃと下側後部点検カバー２１ｃとの間の空間に配置され、下側後部点検カバー２１ｃ上に支持金具４７を介して締結具４８により着脱可能に固定されている。後側ダクト接続口５２ｂは、シール部材５５を介して後部ウェブプレート１７ｂに突き当てられる。後部ウェブプレート１７ｂは、後側ダクト接続口５２ｂの開口に対応する開口を有している。
【００３８】
後部フロアダクト４３は、中間部フロアダクト４２に接続する前側ダクト接続口４３ａを有する。この前側ダクト接続口４３ａは、第２中間部フロアダクト５２における後側ダクト接続口５２ｂに整合する位置で後部ウェブプレート１７ｂにシール部材５５´を介して突き合わされる。更に、後部フロアダクト４３は、エアコン２７の下部吹出口２７ｂと接続される後側ダクト接続口４３ｂを有している。
この後部フロアダクト４３は、フロアベース１０ａの後部において、アッパプレート１６の下方に配置され、アッパプレート１６に吊り下げ支持金具４９を介して固定具５０により着脱可能に固定されている。
なお、この後部フロアダクト４３を下方側から覆うアンダカバー５３がフロアベース１０ａに着脱可能に装着されている。
【００３９】
上述のように、前部フロアダクト４１の後側ダクト接続口４１ｂと、第１中間部フロアダクト５１の前側ダクト接続口５１ａとの間には、シール部材５４、前部ウェブプレート１７ａおよびシール部材５４´が介在されている。なお、シール部材５４は、前部フロアダクト４１の後側ダクト接続口４１ｂの端面に予め貼り付けられている。また、シール部材５４´は、第１中間部フロアダクト５１の前側ダクト接続口５１ａの端面に予め貼り付けられている。
【００４０】
第２中間部フロアダクト５２の後側ダクト接続口５２ｂと、後部フロアダクト４３の前側ダクト接続口４３ａとの間には、シール部材５５、後部ウェブプレート１７ｂおよびシール部材５５´が介在されている。なお、このシール部材５５は、第２中間部フロアダクト５２の後側ダクト接続口５２ｂの端面に予め貼り付けられている。また、シール部材５５´は、後部フロアダクト４３の前側ダクト接続口４３ａの端面に予め貼り付けられている。
【００４１】
第１中間部フロアダクト５１の後側ダクト接続口５１ｂと第２中間部フロアダクト５２の前側ダクト接続口５２ａとは、下側中間部点検カバー２１ｂと上側中間部点検カバー２２ｂとの間の位置において突き合わされている。この第１中間部フロアダクト５１と第２中間部フロアダクト５２とが突き合わされる部分には、その突合せ部分を上方側から覆うようにダクト突合部保持金具５６が装着されている。
【００４２】
図６は、図５のＡ−Ａ線（ダクト・カバーの分割位置）の断面図である。同図に示されるように、ダクト突合部保持金具５６は、下側中間部点検カバー２１ｂ上に締結具５７により着脱可能に固定されている。下側中間部点検カバー２１ｂの上面には、第１中間部フロアダクト５１と第２中間部フロアダクト５２との突合せ部分に接触可能にシール部材５８が貼り付けられている。また、ダクト突合部保持金具５６の内側面にも、第１中間部フロアダクト５１と第２中間部フロアダクト５２との突合せ部分に接触可能にシール部材５９が貼り付けられている。こうして、第１中間部フロアダクト５１と第２中間部フロアダクト５２との突合せ部分を、シール部材５８が貼り付けられた下側中間部点検カバー２１ｂと、シール部材５９が貼り付けられたダクト突合部保持金具５６とで挟み込むことにより、第１中間部フロアダクト５１と第２中間部フロアダクト５２との突合せ部分を密封することができる。
【００４３】
以上に述べたように構成される運転室８においては、図５に示されるように、アッパプレート１６とロアプレート１５との間に空気層が形成されるとともに、上側点検カバー２２と下側点検カバー２１との間に空気層が形成されるので、フロアフレーム１０の下方に配置されているパワートレイン７（図２参照）からの騒音を抑えることができる。
【００４４】
本実施形態の運転室８において、前部フロアダクト４１は、フロアベース１０ａの前部においてアッパプレート１６とロアプレート１５とによって形成される二重床の内部に配置されている。そのため、フロアフレーム１０の下方に配置されているパワートレイン７（図２参照）からの熱をロアプレート１５によって遮ることができるとともに、アッパプレート１６とロアプレート１５との間の空気層を断熱層として機能させることができる。
また、中間部フロアダクト４２は、上側点検カバー２２と下側点検カバー２１とによって形成される二重床の内部に配置されている。そのため、パワートレイン７からの熱を下側点検カバー２１によって遮ることができるとともに、上側点検カバー２２と下側点検カバー２１との間の空気層を断熱層として機能させることができる。
また、後部フロアダクト４３はフロアベース１０ａの後部においてアッパプレート１６の下方に配置され、この後部フロアダクト４３を下方側から覆うアンダカバー５３がフロアベース１０ａに装着されている。そのため、パワートレイン７からの熱をアンダカバー５３によって遮ることができるとともに、アッパプレート１６とアンダカバー５３との間の空気層を断熱層として機能させることができる。
したがって、フロアダクト３０内を流れるエアコン２７からの送風空気がパワートレイン７からの熱によって温められるのを防ぐことができ、冷房能力の損失を抑えることができる。また、フェイス吹出口３３およびリア吹出口３５からは共に設定温度の送風空気が運転者に向けて吹き出されるので、運転者に不快感を与えるようなことがない。
本実施形態のキャブ８によれば、遮音性を確保することができるとともに、フロアダクト３０の断熱性を確保することができるという効果がある。
【００４５】
本実施形態の運転室８において、パワートレイン７の整備を行うにあたり、図４に示されるように、整備用開口２０の全体を出現させる場合には、以下のような作業が行われる。なお、オペシート２６（図５参照）は予め取り外されているものとする。
まず、上側点検カバー２２を構成する上側前部点検カバー２２ａ、上側中間部点検カバー２２ｂおよび上側後部点検カバー２２ｃをそれぞれフロアベース１０ａのアッパプレート１６から取り外す。なお、上側点検カバー２２は大きく上側前部点検カバー２２ａと上側後部点検カバー２２ｃとに分割可能な構成とされているので、上側点検カバー２２の着脱の際のハンドリングが楽であるという利点がある。
次いで、下側中間部点検カバー２１ｂからダクト突合部保持金具５６を取り外した後、下側前部点検カバー２１ａから第１中間部フロアダクト５１を取り外すとともに、下側後部点検カバー２１ｃから第２中間部フロアダクト５２を取り外す。
次いで、下側点検カバー２１を構成する下側前部点検カバー２１ａ、下側中間部点検カバー２１ｂおよび下側後部点検カバー２１ｃをそれぞれフロアベース１０ａのロアプレート１５から取り外す。なお、下側点検カバー２１は大きく下側前部点検カバー２１ａと下側後部点検カバー２１ｃとに分割可能な構成とされているので、下側点検カバー２１の着脱の際のハンドリングが楽であるという利点がある。
こうして、空調ダクトの中間部フロアダクト４２を分解して取り外すことにより、整備用開口２０の全体を出現させることができ、出現させた整備用開口２０の全体を通してパワートレイン７にアクセスすることができる。
【００４６】
また、パワートレイン７の整備を行うにあたって整備用開口２０の前半部分だけを出現させる場合には、以下のような作業が行われる。なお、整備用開口２０の前半部分はオペシート２６の前方に位置するので、オペシート２６を取り外す必要はない。
まず、フロアベース１０ａのアッパプレート１６から上側前部点検カバー２２ａおよび上側中間部点検カバー２２ｂをそれぞれ取り外す。
次いで、下側中間部点検カバー２１ｂからダクト突合部保持金具５６を取り外した後、下側前部点検カバー２１ａから第１中間部フロアダクト５１を取り外す。
次いで、フロアベース１０ａのロアプレート１５から下側前部点検カバー２１ａを取り外す。
このように分割された第１中間部フロアダクト５１を分解して、整備用開口２０の前半部分を出現させる。
【００４７】
また、パワートレイン７の整備を行うにあたって整備用開口２０の後半部分だけを出現させる場合には、以下のような作業が行われる。なお、オペシート２６（図５参照）は予め取り外されているものとする。
まず、フロアベース１０ａのアッパプレート１６から上側後部点検カバー２２ｃおよび上側中間部点検カバー２２ｂをそれぞれ取り外す。
次いで、下側中間部点検カバー２１ｂからダクト突合部保持金具５６を取り外した後、下側後部点検カバー２１ｃから第２中間部フロアダクト５２を取り外す。
次いで、フロアベース１０ａのロアプレート１５から下側後部点検カバー２１ｃを取り外す。
このように分割された第２中間部フロアダクト５２を分解して、整備用開口２０の後半部分を出現させる。
【００４８】
本実施形態の運転室８によれば、中間部フロアダクト４２の前後の分割位置と蓋体２３の前後の分割位置とが一致され、つまり第１中間部フロアダクト５１と第２中間部フロアダクト５２との突合せ位置と、上側点検カバー２２の分割位置と、下側点検カバー２１の分割位置とが一致されているので、上側前部点検カバー２２ａ、第１中間部フロアダクト５１および下側前部点検カバー２１ａを取り外すことにより、整備用開口２０の前半部分だけを出現させることができ、出現させた整備用開口２０の前半部分を通してパワートレイン７にアクセスすることができる。
同様に、上側後部点検カバー２２ｃ、第２中間部フロアダクト５２および下側後部点検カバー２１ｃを取り外すことにより、整備用開口２０の後半部分だけを出現させることができ、出現させた整備用開口２０の後半部分を通してパワートレイン７にアクセスすることができる。
こうして、整備作業の内容に応じて、整備用開口２０の前半部分または後半部分のみを出現させることができ、整備作業の労力を軽減することができる。
【００４９】
なお、以上に述べた本発明の実施形態では運転室８はフロアフレーム１０とキャブフレーム１１とを有するが、キャブフレーム１０の無い野天の運転室であっても良い。
以上、本発明の作業車両用運転室について、一実施形態に基づいて説明したが、本発明は上記実施形態に記載した構成に限定されるものではなく、その趣旨を逸脱しない範囲において適宜その構成を変更することができるものである。
【産業上の利用可能性】
【００５０】
本発明の作業車両用運転室は、整備性を損なうことなく、遮音性を確保することができるとともに、空調ダクトの断熱性を確保することができるという特性を有していることから、例えばパワートレインの上方に設けられる運転室としての用途に好適に用いることができる。
【符号の説明】
【００５１】
１      ブルドーザ（作業車両）
８      運転室（作業車両用運転室）
１０    フロアフレーム
１０ａ  フロアベース（床部）
２０    整備用開口
２１    下側点検カバー
２２    上側点検カバー
２３    蓋体
２６    オペレータシート
２７    エアコン（空気調和装置）
３０    フロアダクト（空調ダクト）
４２    中間部フロアダクト
５１    第１中間部フロアダクト（前側のダクト）
５２    第２中間部フロアダクト（後側のダクト）
【図１】
2010280280.tif 000003
【図２】
2010280280.tif 000004
【図３】
2010280280.tif 000005
【図４】
2010280280.tif 000006
【図５】
2010280280.tif 000007
【図６】
2010280280.tif 000008